(57)【要約】【課題】  コンピューターモードまたは計算機モードに切り替えできるキーボードを提供する。【解決手段】  コンピューターモードまたは計算機モードに切り替えできるキーボード１０は、複数のボタン１３と、マイクロプロセーサー１１と、伝送装置１２と、計算機のコントローラー１５と、計算機ディスプレイ１６とを含むものである。マイクロプロセーサー１１は複数のボタン１３を検知し、計算機モードで計算機ボタンの信号を計算機のコントローラー１５に伝送して計算を行い、計算の結果を計算機ディスプレイ１６に表示する。伝送装置１２は計算機モードで計算機ボタン符号と計算結果を有線或いは無線方式で伝送し出す。【選択図】  図１
0003106476.tif 000002
【実用新案登録請求の範囲】
【請求項１】
コンピューターモードまたは計算機モードに切り替え可能なキーボードであって、
計算機モードで計算機ボタンとして利用する計算機向けの工程用と商用ボタンを含む複数のボタンと、
前記複数のボタンを検知するマイクロプロセーサーと、
計算機モードで前記マイクロプロセーサーから受ける計算機ボタン信号を用いて計算を行う計算機のコントローラーと、
計算結果を表示する計算機ディスプレイと、
計算機モードで計算機ボタン符号と計算結果を有線或いは無線方式で伝送し出す伝送装置と、
を備えることを特徴とするキーボード。
【請求項２】
前記複数のボタンは前記キーボードをコンピューターモードまたは計算機モードに切り替える切換キーをさらに含むことを特徴とする請求項１記載のキーボード。
【請求項３】
前記複数のボタンは計算機モードで計算機ボタン符号と計算結果を前記伝送装置から伝送するかしないかを決定する選択キーをさらに含むことを特徴とする請求項１記載のキーボード。
【請求項４】
前記複数のボタンは戻りキーをさらに含み、その戻りキーは計算機モードで前記伝送装置に伝送される前の一つのデータである前記計算機ボタン符号及び計算結果を削除することを特徴とする請求項１記載のキーボード。
【請求項５】
前記複数のボタンは、多数のボタンの組み合わせで一つの特殊符号キーになって、計算機モードで一つの計算子または計算機ボタンを表示することを特徴とする請求項１記載のキーボード。
【請求項６】
前記伝送装置はＵＳＢインタフェースを含むことを特徴とする請求項１記載のキーボード。
【請求項７】
前記伝送装置はＰＳ／２インタフェースを含むことを特徴とする請求項１記載のキーボード。
【請求項８】
前記伝送装置はＩｒＤＡインタフェースを含むことを特徴とする請求項１記載のキーボード。
【請求項９】
前記伝送装置はＲＦインタフェースを含むことを特徴とする請求項１記載のキーボード。
【請求項１０】
コンピューターモードまたは計算機モードに切り替え可能なキーボードであって、
計算機モードで計算機ボタンとして利用する計算機向けの工程用と商用ボタンを含む複数のボタンと、
前記複数のボタンを検知し、前記計算機モードで計算を行うマイクロプロセーサーと、
計算結果を表示する計算機ディスプレイと、
計算機モードで前記計算機ボタン符号と計算結果を有線或いは無線方式で伝送し出す伝送装置と、
を備えることを特徴とするキーボード。
【請求項１１】
前記複数のボタンは前記キーボードをコンピューターモードまたは計算機モードに切り替える切換キーをさらに含むことを特徴とする請求項１０記載のキーボード。
【請求項１２】
前記複数のボタンは計算機モードで計算機ボタン符号と計算結果を前記伝送装置から伝送するかしないかを決定する選択キーをさらに含むことを特徴とする請求項１０記載のキーボード。
【請求項１３】
前記複数のボタンは戻りキーをさらに含み、その戻りキーは計算機モードで前記伝送装置に伝送される前の一つのデータである前記計算機ボタン符号及び計算結果を削除することを特徴とする請求項１０記載のキーボード。
【請求項１４】
前記複数のボタンは、多数のボタンの組み合わせで一つの特殊符号キーになって、計算機モードで一つの計算子または計算機ボタンを表示することを特徴とする請求項１０記載のキーボード。
【請求項１５】
前記伝送装置はＵＳＢインタフェースを含むことを特徴とする請求項１０記載のキーボード。
【請求項１６】
前記伝送装置はＰＳ／２インタフェースを含むことを特徴とする請求項１０記載のキーボード。
【請求項１７】
前記伝送装置はＩｒＤＡインタフェースを含むことを特徴とする請求項１０記載のキーボード。
【請求項１８】
前記伝送装置はＲＦインタフェースを含むことを特徴とする請求項１０記載のキーボード。
【請求項１９】
コンピューターモードまたは計算機モードに切り替え可能なキーボードであって、
計算機モードで計算機ボタンとして利用する計算機向けの工程用と商用ボタンを含む複数のボタンと、
前記複数のボタンを検知し、計算機モードで計算を行う計算機のコントローラーと、
コンピューターモードで前記計算機のコントローラーからコンピューターのボタン信号を受けるマイクロプロセーサーと、
計算結果を表示する計算機ディスプレイと、
計算機モードで計算機ボタン符号と計算結果を有線或いは無線方式で伝送し出す伝送装置と、
を備えることを特徴とするキーボード。
【請求項２０】
前記複数のボタンは前記キーボードをコンピューターモードまたは計算機モードに切り替える切換キーをさらに含むことを特徴とする請求項１９記載のキーボード。
【請求項２１】
前記複数のボタンは計算機モードで計算機ボタン符号と計算結果を前記伝送装置から伝送するかしないかを決定する選択キーをさらに含むことを特徴とする請求項１９記載のキーボード。
【請求項２２】
前記複数のボタンは戻りキーをさらに含み、その戻りキーは計算機モードで前記伝送装置に伝送される前の一つのデータである前記計算機ボタン符号及び計算結果を削除することを特徴とする請求項１９記載のキーボード。
【請求項２３】
前記複数のボタンは、多数のボタンの組み合わせで一つの特殊符号キーになって、計算機モードで一つの計算子または計算機ボタンを表示することを特徴とする請求項１９記載のキーボード。
【請求項２４】
前記伝送装置はＵＳＢインタフェースを含むことを特徴とする請求項１９記載のキーボード。
【請求項２５】
前記伝送装置はＰＳ／２インタフェースを含むことを特徴とする請求項１９記載のキーボード。
【請求項２６】
前記伝送装置はＩｒＤＡインタフェースを含むことを特徴とする請求項１９記載のキーボード。
【請求項２７】
前記伝送装置はＲＦインタフェースを含むことを特徴とする請求項１９記載のキーボード。
【考案の詳細な説明】
【技術分野】
【０００１】
本考案はキーボードに関し、特にコンピューターモードまたは計算機モードに切り替えできるキーボードに関する。
【背景技術】
【０００２】
ビジネス上または工程上において、常に計算機を利用し大量な数?計算を行い、そして計算の結果を人工でコンピューターに入力することがあるが、この方法は時間を無駄にするだけではなく、全体的な計算過程も表示できず、エラーを検知することも困難である。上記の欠点を改善するため、台湾実用新案公告番号第１２２８８２号には計算機機能を有するキーボードが掲示されるが、掲示された技術は単に本来のキーボードに計算機を組み合わせ、或いは計算機をキーボードに組み合わせ、即ち、単に二つの装置を組み合わせる技術である。なた二つのコントローラーによりそれぞれの装置の機能を処理することから考えると、利用性も少ないし、コストも高い。そのデータの伝送は有線伝送インターフェースに制限されるため、利用の便利性も少なく、機能も強くないことになる。
【０００３】
一方、コンピューターのユーザーが計算機機能を利用する場合、例えばレポートのデータを入力する時に、計算機で計算を行うだけでなく、レポートに計算式を表示する必要がある場合、先行技術では単にそれぞれにコンピューターに計算式を入力し、そしてまた計算機において同じ計算式を入力して計算を行う。この従来の方法は面倒臭いし、しかも入力エラーの可能性も多い。
【０００４】
従って、本考案の、コンピューターモードまたは計算機モードに切り替えできるキーボードは望ましい。
【考案の開示】
【考案が解決しようとする課題】
【０００５】
本考案は、コンピューターモードまたは計算機モードに切り替えできるキーボードを提供することを目的とするものである。
本考案のもう一つの目的は、このキーボードが同時に有線と無線伝送機能を有し、ユーザーが計算過程や計算結果を出力するかしないかを決定することことができるキーボードを提供することである。
【課題を解決するための手段】
【０００６】
本考案の一つの、コンピューターモードまたは計算機モードに切り替えできるキーボードは、複数のボタンと、マイクロプロセーサーと、伝送装置と、計算機のコントローラーと、計算機ディスプレイとを含むものである。上記マイクロプロセーサーは上記複数のボタンを検知し、計算機モードで計算機ボタンの信号を計算機のコントローラーに伝送して計算を行い、計算の結果を計算機ディスプレイに表示する。上記伝送装置は計算機モードで計算機ボタン符号と計算結果を有線或いは無線方式で伝送し出す。
【０００７】
本考案のもう一つの、コンピューターモードまたは計算機モードに切り替えできるキーボードは、複数のボタンと、マイクロプロセーサーと、計算機ディスプレイと、伝送装置とを含むものである。上記マイクロプロセーサーは上記複数のボタンを検知し、計算機モードで計算を行って、計算の結果を上記計算機ディスプレイに表示し、上記伝送装置により計算機モードで計算機ボタン符号と計算結果を有線或いは無線方式で伝送し出す。
【０００８】
本考案のもう一つの、コンピューターモードまたは計算機モードに切り替えできるキーボードは、複数のボタンと、マイクロプロセーサーと、伝送装置と、計算機のコントローラーと、計算機ディスプレイとを含むものである。上記計算機のコントローラーは上記複数のボタンを検知し、コンピューターモードでコンピューターボタン信号を上記マイクロプロセーサーに伝送し、それに対して計算機モードで、上記計算機のコントローラーは検知結果により計算を行って、計算の結果を上記計算機ディスプレイに表示する。上記伝送装置は計算機モードで計算機ボタン符号と計算結果を有線或いは無線方式で伝送し出す。
【考案を実施するための最良の形態】
【０００９】
（実施例１）
図１のブロック図に示すように、キーボード１０は、マイクロプロセーサー１１と、伝送装置１２と、複数のボタン１３と、計算機のコントローラー１５と、計算機ディスプレイ１６とを含むものである。複数のボタン１３においては、工程用計算と商用計算を行うために、一組の計算機向けの工程用と商用ボタン１４を含む。このボタン１４は、一般的な従来の数字キーと、他のボタンである設定されたホットキー（Ｈｏｔ  Ｋｅｙ）やハードウェアボタンとを含むものである。
【００１０】
さらに、複数のボタン１３においては、キーボード１０をコンピューターモードまたは計算機モードに切り替えるために設けられる切換キーを含み、また計算機モードで計算機ボタン符号と計算結果を上記伝送装置から伝送し出すかしないかを決定する選択キーを含む。上記切換キー及び選択キーはホットキーまたはハードウェアボタンの形により表示する。
【００１１】
計算機モードで、計算式を伝送装置１２に伝送する時、ボタン誤操作のために間違い計算になって、再入力や再計算などをしようとする場合、キーボード１０におけるホットキーまたはハードウェアボタンにより戻り（ｕｎｄｏ）キーを工夫し、ユーザーが上記戻りキーを押すと、キーボード１０が伝送装置１２による伝送したばかりデータを削除するようにする。もしデータをキーボードに保存し、外部に伝送し出さなければ、この場合は単に計算機に一時アクセスするデータを削除し、伝送装置にアクセスされるデータを削除しない。この機能の操作方法では、一度押す毎に、その前の一つのデータを削除する。
【００１２】
キーボード１０はもう一つの機能を備え、複数のボタン１３はさらに特殊の符号キーを含み、この特殊の符号キーは複数のボタンの組合わせにより作られて計算機モードに特定な計算子または計算機ボタンを取り換える。従来の計算機においては、計算子は計算?の入力の後に入力することがあり、例えば開方の場合はそうである。しかし、実際にディスプレイに表す計算子と計算値の順序は逆である。ユーザーが全ての計算式を伝送装置１２に伝送しようとすると、上記計算式は所要の計算子が入力される際に、この前に伝送し出されない計算値と共に、一般的なユーザーの閲覧習慣に適する順序で伝送装置１２に送られて伝送し出される。そうすると、連結されるコンピューターディスプレイに一般的なユーザーの閲覧習慣に適する計算式を表示することができる。
【００１３】
伝送装置１２はＵＳＢや、ＰＳ／２などの有線伝送インターフェースであり、また伝送装置１２は赤外線（ＩｒＤＡ）や、射頻（Ｒａｄｉｏ  Ｆｒｅｑｕｅｎｃｙ、ＲＦ）などの無線伝送インターフェースでもよい。
マイクロプロセーサー１１は普通のキーボードがボタンを検知するように、複数のボタン１３を検知するが、計算機モードで、マイクロプロセーサー１１は検知する結果により計算機ボタン信号を計算機のコントローラー１５に伝送する。計算機モードでマイクロプロセーサー１１から計算機ボタン信号を受けて計算を行い、そして計算の結果を計算機ディスプレイ１６に表示する。
【００１４】
（実施例２）
図２を参照し、実施例２を説明する。キーボード２０はマイクロプロセーサー２１と、伝送装置２２と、複数のボタン２３と、計算機ディスプレイ２６とを含むものである。複数のボタン２３は一組の計算機向けの工程用と商用ボタン２４を含み、工程用と商用計算を行うために設けられるボタンである。前の実施例のように、数字キーは一般的な従来の数字キーであり、他のボタンは設定されるホットキー（Ｈｏｔ  Ｋｅｙ）やハードウェアボタンである。
【００１５】
キーボード２０は、コンピューターモードまたは計算機モードに切り替えできる切換キーと、計算機モードで計算機ボタン符号と計算結果を上記伝送装置２２から伝送し出すかしないかを決定する選択キーとを備えるものである。
キーボード２０はさらに戻りキーを含み、ユーザーがこの戻りキーを押すと、キーボード２０は、伝送装置２２による伝送したばかりのデータまたは計算機メョ部のデータを削除し、それに一度押す毎に、その前の一つのデータを削除する。
【００１６】
計算機モードで、複数のボタン２３においては、さらに複数のボタンの組み合わせを用いて特殊符号キーになり、特定な計算子または計算機ボタンにする。ユーザーが全ての計算式を伝送装置２２に伝送しようとすると、上記計算式は所要の計算子を入力される際に、この前に伝送し出されない計算?と共に、一般的なユーザーの閲覧習慣に適する順序で伝送装置２２に送られて、伝送し出される。伝送装置２２は、ＵＳＢや、ＰＳ／２などの有線伝送インターフェースであり、また伝送装置２２は赤外線（ＩｒＤＡ）や、射頻（ＲＦ）などの無線伝送インターフェースでもよい。
【００１７】
本実施例において、マイクロプロセーサー２１は従来のキーボードのように、複数のボタン２３を検知するが、計算機モードで、マイクロプロセーサー２１は計算機機能を行って、そして行った結果を計算機ディスプレイ２６に表示する。
【００１８】
（実施例３）
図３を参照し、実施例３を説明する。キーボード３０はマイクロプロセーサー３１と、伝送装置３２と、複数のボタン３３と、計算機のコントローラー３５と、計算機ディスプレイ３６とを含むものである。複数のボタン３３においては、工程用計算と商用計算を行うために、一組の計算機向けの工程用と商用ボタン３４を含む。このボタン３４は、一般的な従来の数字キーと、他のボタンである設定されるホットキー（Ｈｏｔ  Ｋｅｙ）やハードウェアボタンとを含むものである。伝送装置２２は、ＵＳＢや、ＰＳ／２などの有線伝送インターフェースであり、また伝送装置３２は赤外線（ＩｒＤＡ）や、射頻（ＲＦ）などの無線伝送インターフェースでもよい。
【００１９】
本実施例で、キーボード３０の機能と操作方法は実施例１におけるキーボード１０と同じであるが、キーボード３０は計算機のコントローラー３５により複数のボタン３３を検知し、コンピューターモードでコンピューターボタン信号をマイクロプロセーサー３１に伝送する。それに対して計算機モードで、計算機のコントローラー３５は検知の結果を用いて計算を行い、そして計算の結果を計算機ディスプレイ３６に表示する。
【図面の簡単な説明】
【００２０】
【図１】本考案の実施例１によるキーボードを示すブロック図である。
【図２】本考案の実施例２によるキーボードを示すブロック図である。
【図３】本考案の実施例３によるキーボードを示すブロック図である。
【符号の説明】
【００２１】
１０  キーボード、１１  マイクロプロセーサー、１２  伝送装置、１３  複数のボタン、１４  計算機の工程と商用ボタン、１５  計算機のコントローラー、１６  計算機ディスプレイ、２０  キーボード、２１  マイクロプロセーサー、２２  伝送装置、２３  複数のボタン、２４  計算機の工程と商用ボタン、２６  計算機ディスプレイ、３０  キーボード、３１  マイクロプロセーサー 、３２  伝送装置、３３  複数のボタン 、３４  計算機の工程と商用のキー、３５  計算機のコントローラー、３６  計算機ディスプレイ
【図１】
0003106476.tif 000003
【図２】
0003106476.tif 000004
【図３】
0003106476.tif 000005
【手続補正書】
【提出日】平成16年7月21日(2004.7.21)
【手続補正１】
【補正対象書類名】実用新案登録請求の範囲
【補正対象項目名】請求項１
【補正方法】変更
【補正の内容】
【請求項１】
計算機モードで計算機ボタンとして利用する計算機向けの工程用と商用ボタンを含む複
数のボタンと、
前記複数のボタンを検知するマイクロプロセーサーと、
計算機モードで前記マイクロプロセーサーから受ける計算機ボタン信号を用いて計算を
行う計算機のコントローラーと、
計算結果を表示する計算機ディスプレイと、
計算機モードで計算機ボタン符号と計算結果を有線或いは無線方式で伝送し出す伝送装
置と、
を備えることを特徴とするキーボード。
【手続補正書】
【提出日】平成16年9月3日(2004.9.3)
【手続補正１】
【補正対象書類名】実用新案登録請求の範囲
【補正対象項目名】全文
【補正方法】変更
【補正の内容】
【実用新案登録請求の範囲】
【請求項１】
コンピューターへの入力に用いるコンピューターモードまたは卓上計算機への入力に用いる計算機モードのいずれかに切り替えて適用可能なキーボードであって、
計算機モードで計算機ボタンとして利用する計算機向けの工程用と商用ボタンを含む複数のボタンと、
前記複数のボタンを検知するマイクロプロセーサーと、
計算機モードで前記マイクロプロセーサーから受ける計算機ボタン信号を用いて計算を行う計算機のコントローラーと、
計算結果を表示する計算機ディスプレイと、
計算機モードで計算機ボタン符号と計算結果を有線或いは無線方式で伝送し出す伝送装置と、
を備えることを特徴とするキーボード。
【請求項２】
前記複数のボタンは前記コンピューターモードまたは前記計算機モードに切り替える切換キーをさらに含むことを特徴とする請求項１記載のキーボード。
【請求項３】
前記複数のボタンは計算機モードで計算機ボタン符号と計算結果を前記伝送装置から伝送するかしないかを決定する選択キーをさらに含むことを特徴とする請求項１記載のキーボード。
【請求項４】
前記複数のボタンは戻りキーをさらに含み、その戻りキーは計算機モードで前記伝送装置に伝送される前の一つのデータである前記計算機ボタン符号及び計算結果を削除することを特徴とする請求項１記載のキーボード。
【請求項５】
前記複数のボタンは、多数のボタンの組み合わせで一つの特殊符号キーになって、計算機モードで一つの計算子または計算機ボタンを表示することを特徴とする請求項１記載のキーボード。
【請求項６】
前記伝送装置はＵＳＢインタフェースを含むことを特徴とする請求項１記載のキーボード。
【請求項７】
前記伝送装置はＰＳ／２インタフェースを含むことを特徴とする請求項１記載のキーボード。
【請求項８】
前記伝送装置はＩｒＤＡインタフェースを含むことを特徴とする請求項１記載のキーボード。
【請求項９】
前記伝送装置はＲＦインタフェースを含むことを特徴とする請求項１記載のキーボード。
【請求項１０】
コンピューターへの入力に用いるコンピューターモードまたは卓上計算機への入力に用いる計算機モードのいずれかに切り替えて適用可能なキーボードであって、
計算機モードで計算機ボタンとして利用する計算機向けの工程用と商用ボタンを含む複数のボタンと、
前記複数のボタンを検知し、前記計算機モードで計算を行うマイクロプロセーサーと、
計算結果を表示する計算機ディスプレイと、
計算機モードで前記計算機ボタン符号と計算結果を有線或いは無線方式で伝送し出す伝送装置と、
を備えることを特徴とするキーボード。
【請求項１１】
前記複数のボタンは前記コンピューターモードまたは前記計算機モードに切り替える切換キーをさらに含むことを特徴とする請求項１０記載のキーボード。
【請求項１２】
前記複数のボタンは計算機モードで計算機ボタン符号と計算結果を前記伝送装置から伝送するかしないかを決定する選択キーをさらに含むことを特徴とする請求項１０記載のキーボード。
【請求項１３】
前記複数のボタンは戻りキーをさらに含み、その戻りキーは計算機モードで前記伝送装置に伝送される前の一つのデータである前記計算機ボタン符号及び計算結果を削除することを特徴とする請求項１０記載のキーボード。
【請求項１４】
前記複数のボタンは、多数のボタンの組み合わせで一つの特殊符号キーになって、計算機モードで一つの計算子または計算機ボタンを表示することを特徴とする請求項１０記載のキーボード。
【請求項１５】
前記伝送装置はＵＳＢインタフェースを含むことを特徴とする請求項１０記載のキーボード。
【請求項１６】
前記伝送装置はＰＳ／２インタフェースを含むことを特徴とする請求項１０記載のキーボード。
【請求項１７】
前記伝送装置はＩｒＤＡインタフェースを含むことを特徴とする請求項１０記載のキーボード。
【請求項１８】
前記伝送装置はＲＦインタフェースを含むことを特徴とする請求項１０記載のキーボード。
【請求項１９】
コンピューターへの入力に用いるコンピューターモードまたは卓上計算機への入力に用いる計算機モードのいずれかに切り替えて適用可能なキーボードであって、
計算機モードで計算機ボタンとして利用する計算機向けの工程用と商用ボタンを含む複数のボタンと、
前記複数のボタンを検知し、計算機モードで計算を行う計算機のコントローラーと、
コンピューターモードで前記計算機のコントローラーからコンピューターのボタン信号を受けるマイクロプロセーサーと、
計算結果を表示する計算機ディスプレイと、
計算機モードで計算機ボタン符号と計算結果を有線或いは無線方式で伝送し出す伝送装置と、
を備えることを特徴とするキーボード。
【請求項２０】
前記複数のボタンは前記コンピューターモードまたは前記計算機モードに切り替える切換キーをさらに含むことを特徴とする請求項１９記載のキーボード。
【請求項２１】
前記複数のボタンは計算機モードで計算機ボタン符号と計算結果を前記伝送装置から伝送するかしないかを決定する選択キーをさらに含むことを特徴とする請求項１９記載のキーボード。
【請求項２２】
前記複数のボタンは戻りキーをさらに含み、その戻りキーは計算機モードで前記伝送装置に伝送される前の一つのデータである前記計算機ボタン符号及び計算結果を削除することを特徴とする請求項１９記載のキーボード。
【請求項２３】
前記複数のボタンは、多数のボタンの組み合わせで一つの特殊符号キーになって、計算機モードで一つの計算子または計算機ボタンを表示することを特徴とする請求項１９記載キーボード。
【請求項２４】
前記伝送装置はＵＳＢインタフェースを含むことを特徴とする請求項１９記載のキーボード。
【請求項２５】
前記伝送装置はＰＳ／２インタフェースを含むことを特徴とする請求項１９記載のキーボード。
【請求項２６】
前記伝送装置はＩｒＤＡインタフェースを含むことを特徴とする請求項１９記載のキーボード。
【請求項２７】
前記伝送装置はＲＦインタフェースを含むことを特徴とする請求項１９記載のキーボード。